(57)【要約】【課題】  時間的制約のある手動操作及び無線通信機能以外の入力手段を必要とせずに、無線通信機器に対して無線通信の設定を行う無線設定装置を提供する。【解決手段】  本発明の無線設定装置は、設定プログラムを受信して実行する無線子機が、無線通信のパラメータを所定の手順で設定するための、前記設定プログラムを記憶する設定プログラム記憶手段と、無線通信装置に対する、複数の前記無線子機のいずれかからの初期接続を検出する接続検出手段と、前記初期接続が検出された前記無線子機に、前記設定プログラムを、前記無線通信装置を経由して送信する設定プログラム送信手段とを含む。【選択図】      図１
2013247400.tif 000002
【特許請求の範囲】
【請求項１】
設定プログラムを受信して実行する無線子機が、無線通信のパラメータを所定の手順で設定するための、前記設定プログラムを記憶する設定プログラム記憶手段と、
無線通信装置に対する、複数の前記無線子機のいずれかからの初期接続を検出する接続検出手段と、
前記初期接続が検出された前記無線子機に、前記設定プログラムを、前記無線通信装置を経由して送信する設定プログラム送信手段と
を含む無線設定装置。
【請求項２】
前記無線子機との間で、前記所定の手順で前記パラメータを設定し、設定した前記パラメータを、当該パラメータで前記無線子機を無線接続させる前記無線通信装置に送信する設定手段
を含む請求項１に記載の無線設定装置。
【請求項３】
前記接続検出手段は、無線接続のための初期識別子を前記無線子機各々に送信する前記無線通信装置に対する、前記無線子機のいずれかからの前記初期識別子を使用した接続を、初期接続として検出する
請求項１又は２に記載の無線設定装置。
【請求項４】
前記無線通信装置に初期接続する初期接続手段と、
前記無線通信装置から前記設定プログラムを受信する設定プログラム受信手段と、
受信した前記設定プログラムを実行する実行手段と
を含む前記無線子機と、
前記無線通信装置と、
請求項１乃至３のいずれかに記載の無線設定装置と
を含む無線通信システム。
【請求項５】
設定プログラムを受信して実行する無線子機が、無線通信のパラメータを所定の手順で設定するための、前記設定プログラムを設定プログラム記憶手段に記憶し、
無線通信装置に対する、複数の前記無線子機のいずれかからの初期接続を検出し、
前記初期接続が検出された前記無線子機に、前記設定プログラムを、前記無線通信装置を経由して送信する
無線設定方法。
【請求項６】
前記無線子機との間で、前記所定の手順で前記パラメータを設定し、設定した前記パラメータを、当該パラメータで前記無線子機を無線接続させる前記無線通信装置に送信する
請求項５に記載の無線設定豊富。
【請求項７】
無線接続のための初期識別子を前記無線子機各々に送信する前記無線通信装置に対する、前記無線子機のいずれかからの前記初期識別子を使用した接続を、初期接続として検出する
請求項５又は６に記載の無線設定方法。
【請求項８】
コンピュータを、
設定プログラムを受信して実行する無線子機が、無線通信のパラメータを所定の手順で設定するための、前記設定プログラムを記憶する設定プログラム記憶手段と、
無線通信装置に対する、複数の前記無線子機のいずれかからの初期接続を検出する接続検出手段と、
前記初期接続が検出された前記無線子機に、前記設定プログラムを、前記無線通信装置を経由して送信する設定プログラム送信手段と
して動作させる無線設定プログラム。
【請求項９】
コンピュータを、
前記無線子機との間で、前記所定の手順で前記パラメータを設定し、設定した前記パラメータを、当該パラメータで前記無線子機を無線接続させる前記無線通信装置に送信する設定手段
として動作させる請求項８に記載の無線設定プログラム。
【請求項１０】
無線接続のための初期識別子を前記無線子機各々に送信する前記無線通信装置に対する、前記無線子機のいずれかからの前記初期識別子を使用した接続を、初期接続として検出する前記接続検出手段
として動作させる請求項８又は９に記載の無線設定プログラム。
【発明の詳細な説明】
【技術分野】
【０００１】
本発明は、無線設定装置、無線設定方法、及び無線設定プログラムに関する。
【背景技術】
【０００２】
近年、ゲーム機や携帯電話にも無線通信機能が搭載されるようになっている。そのため、子供からお年寄りまで無線通信機器を利用する環境が一般的になってきている。一方、無線通信においては容易に盗聴が可能であることから、セキュリティー強化は必須である。そのため、色々な暗号化方法が使用されている。
【０００３】
無線通信機器の無線通信の設定は、特にセキュリティーが強化された無線通信の設定の場合、設定項目及び各設定項目の選択肢が多岐にわたる。ユーザが初心者である場合、ユーザが無線通信機器の無線通信の設定を行うことは困難である。そのため、ユーザが各設定項目に対する設定を入力せずに、無線通信機器に対して無線通信の設定を行う方法（簡単設定方式）が考案されている。この方法の代表的な例として、ＷＰＳ（登録商標）機能が存在する。
【０００４】
特許文献１には、複数の簡単設定方式をサポートするステーション装置が記載されている。特許文献１のステーション装置は、送信したリクエストに対するレスポンスとして、簡単設定方式の指定を含む情報を、アクセスポイントから受信する。特許文献１のステーション装置は、選択した簡単設定方式で、無線ＬＡＮ（Ｌｏｃａｌ  Ａｒｅａ  Ｎｅｔｗｏｒｋ）での通信のための情報設定を行う。
【０００５】
特許文献２には、他の無線端末装置（子機）との間の認証シーケンス処理前はＳＳＩＤ（Ｓｅｒｖｉｃｅ  Ｓｅｔ  Ｉｄｅｎｔｉｆｉｅｒ）を含むビーコンを送信し、認証シーケンス処理後はＳＳＩＤを含まないビーコンを送信する無線端末装置（親機）が記載されている。特許文献２の無線端末装置は、さらに、親機と子機の間で特定データ通信チャネルが確立された後、最初のＳＳＩＤとは異なるＳＳＩＤを用いて、新しい特定データ通信チャネルを確立する。
【０００６】
特許文献３には、無線通信を行うのに必要な通信用パラメータを外部操作によって設定するための、動作設定モジュールを含む無線ＬＡＮ送受信装置が記載されている。
【０００７】
特許文献４には、無線ＬＡＮを介して電子カメラから転送された撮影画像を記録するサーバ装置が記載されている。
【先行技術文献】
【特許文献】
【０００８】
【特許文献１】特開２００８−０７２５７７号公報
【特許文献２】特開２００６−２６１８５０号公報
【特許文献３】特開２００９−１７７２３６号公報
【特許文献４】特開２００８−２０４０７２号公報
【発明の概要】
【発明が解決しようとする課題】
【０００９】
前述の簡単設定方式は、無線通信機器（無線ＬＡＮの子機）が、例えばアクセスポイント（無線ＬＡＮの親機）と無線で通信するための、無線ＬＡＮの子機の無線通信の設定を、ユーザが細かい設定項目を設定することなく行うための仕組みである。簡単設定方式には、例えば、プッシュボタン方式、ＰＩＮ（Ｐｅｒｓｏｎａｌ  Ｉｄｅｎｔｉｆｉｃａｔｉｏｎ  Ｎｕｍｂｅｒ）コード方式、ＵＳＢ（Ｕｎｉｖｅｒｓａｌ  Ｓｅｒｉａｌ  Ｂｕｓ、商標）メモリ方式等がある。
【００１０】
プッシュボタン方式の場合、一般的に、無線ＬＡＮの子機のユーザは、子機側の簡単設定機能を起動させ、起動から所定時間内に無線ＬＡＮの親機の簡単設定を開始するためのプッシュボタンを押下することで設定を開始させる。この場合、ユーザは、子機側の簡単設定機能の起動から所定時間内に、親機のプッシュボタンを押下するという、時間的制約のある手動操作を行う必要がある。
【００１１】
一方、ＰＩＮコード方式の場合、ユーザは、親機が生成するＰＩＮコードを、子機に入力する必要がある。一般に、子機へのＰＩＮコードの入力は、親機と子機を有線の通信回線で接続し、親機から子機へＰＩＮコードの送信することで行われる。この場合、子機は有線で通信を行うためのインタフェースを備えている必要がある。また、ＵＳＢメモリ方式の場合、設定情報の子機への転送は、設定情報が格納されているＵＳＢメモリを子機に接続することで行われる。この場合、子機はＵＳＢコネクタを備えている必要がある。
【００１２】
以上のように、簡単設定方式により無線通信の設定には、前述の、時間的制約のある手動操作と、無線以外の入力手段を備えることの、いずれかが必要である。
【００１３】
特許文献１乃至４の技術では、上述の問題を解決することはできない。
【００１４】
本発明の目的は、上述の問題を解決する無線設定装置を提供することにある。
【課題を解決するための手段】
【００１５】
本発明の無線設定装置は、設定プログラムを受信して実行する無線子機が、無線通信のパラメータを所定の手順で設定するための、前記設定プログラムを記憶する設定プログラム記憶手段と、無線通信装置に対する、複数の前記無線子機のいずれかからの初期接続を検出する接続検出手段と、前記初期接続が検出された前記無線子機に、前記設定プログラムを、前記無線通信装置を経由して送信する設定プログラム送信手段とを含む。
【００１６】
本発明の無線設定方法は、設定プログラムを受信して実行する無線子機が、無線通信のパラメータを所定の手順で設定するための、前記設定プログラムを設定プログラム記憶手段に記憶し、無線通信装置に対する、複数の前記無線子機のいずれかからの初期接続を検出し、前記初期接続が検出された前記無線子機に、前記設定プログラムを、前記無線通信装置を経由して送信する。
【００１７】
本発明の無線設定プログラムは、コンピュータを、設定プログラムを受信して実行する無線子機が、無線通信のパラメータを所定の手順で設定するための、前記設定プログラムを記憶する設定プログラム記憶手段と、無線通信装置に対する、複数の前記無線子機のいずれかからの初期接続を検出する接続検出手段と、前記初期接続が検出された前記無線子機に、前記設定プログラムを、前記無線通信装置を経由して送信する設定プログラム送信手段として動作させる。
【発明の効果】
【００１８】
本発明には、時間的制約のある手動操作及び無線通信機能以外の入力手段を必要とせずに、無線通信機器に対して無線通信の設定を行うことができるという効果がある。
【図面の簡単な説明】
【００１９】
【図１】第１の実施形態の無線通信システム１００の構成を表す図である。
【図２】第１の実施形態の無線通信システム１００の具体的な構成例である。
【図３】第１の実施形態の無線設定装置１の動作を表すフローチャートである。
【図４】初期識別子を含む、無線通信のための複数のパラメータの例を表す図である。
【図５】設定部１３が設定するパラメータの例を表す図である。
【図６】無線通信装置２が対応可能な暗号化方式の例を表す図である。
【図７】第１の実施形態の無線子機３の動作を表すフローチャートである。
【図８】第２の実施形態の無線設定装置１Ａの構成を表す図である。
【図９】第２の実施形態の無線設定装置１Ａの動作を表すフローチャートである。
【発明を実施するための形態】
【００２０】
次に、本発明の第１の実施の形態について図面を参照して詳細に説明する。
【００２１】
図１は、本発明の第１の実施形態の無線通信システム１００の構成を表す図である。
【００２２】
図１を参照すると、無線通信システム１００は、無線設定装置１と、無線通信装置２と、無線子機３を含む。無線通信装置２と、無線子機３は、それぞれ複数存在していてもよい。無線設定装置１は、無線通信装置２に含まれていてもよい。
【００２３】
無線設定装置１は、接続検出部１０と、設定プログラム記憶部１１と、設定プログラム送信部１２と、設定部１３を含む。
【００２４】
無線通信装置２は、インタフェース部２０と、制御部２１と、無線制御部２２と、アンテナ部２３を含む。
【００２５】
まず、無線通信装置２について説明する。
【００２６】
無線通信装置２は、例えば無線ＬＡＮアクセスポイントである。無線通信装置２は、インタフェース部２０を介して、ネットワーク４に接続されていてよい。無線通信装置２は、アンテナ部２３を介して、アンテナ部３３を備える無線子機３との間で通信を行う。無線通信装置２は、無線通信装置２と無線子機３との間が無線により接続されていて、無線通信装置２と無線子機３が互いに通信可能であれば、ネットワーク４と無線子機３との間の通信を中継する。この場合、無線通信装置２は、例えば、無線子機３のユーザによるネットサーフィンや、ネットワーク４に接続されているサーバから無線子機３への動画やその他のデータのダウンロードのための、通信の中継を行う。
【００２７】
インタフェース部２０は、ネットワーク４と制御部２１を接続する。インタフェース部２０は、ネットワーク４と制御部２１との間の通信を中継する。
【００２８】
アンテナ部２３は、各無線子機３が送信した電波を受信して信号に変換し、無線制御部２２に送信する。また、アンテナ部２３は、無線制御部２２からの信号を電波に変換して、各無線子機３に送信する。
【００２９】
無線制御部２２は、制御部２１と無線子機３との間の、アンテナ部２３を介して行われる無線通信を中継する。すなわち、無線制御部２２は、アンテナ部２３が受信した電波の信号を、データに変換して制御部２１に送信する。また、無線制御部２２は、制御部２１が無線子機３に送信するデータを信号に変換する。そして、無線制御部２２は、アンテナ部２３に、その信号を含む電波を、無線子機３に対して送信させる。
【００３０】
制御部２１は、例えばアンテナ部２３からの電波が届く範囲内に存在する、各無線子機３に対して、無線接続のための初期ＳＳＩＤ（Ｓｅｒｖｉｃｅ  Ｓｅｔ  Ｉｄｅｎｔｉｆｉｅｒ、初期識別子）を、無線制御部２２とアンテナ部２３を介して送信する。制御部２１は、例えば、初期識別子を含むビーコン信号を送信すればよい。制御部２１は、あらかじめ保持している初期識別子を送信すればよい。あるいは、例えば無線設定装置１の接続検出部１０が、制御部２１に、初期識別子を送信してもよい。そして、制御部２１は、受信した初期識別子を各無線子機３に送信すればよい。
【００３１】
制御部２１は、初期識別子を使用していずれかの無線子機３から接続が要求された場合、その要求元の無線子機３に初期識別子を使用して接続する。制御部２１は、いずれかの無線子機３に、初期識別子を使用して接続（初期接続）した場合、無線設定装置１に対して、初期接続があったことを表す情報を送信すればよい。
【００３２】
制御部２１は、後述するように、設定プログラムを、無線設定装置１の設定プログラム送信部１２から受信する。そして、制御部２１は、初期識別子で接続されている無線子機３に対して、受信した設定プログラムを送信する。
【００３３】
制御部２１は、無線設定装置１の設定部１３が、受信した設定プログラムを実行する無線子機３との間で行う、無線通信のためのパラメータの設定のための通信を中継する。
【００３４】
制御部２１は、設定部１３と無線子機３との間で設定されたパラメータを、設定部１３から受信すればよい。そして、制御部２１は、そのパラメータを使用して、無線子機３に接続する。
【００３５】
制御部２１は、複数の無線子機３から初期接続の要求があった場合、それらの各無線子機３に対して、順次、初期接続があったことを表す情報の無線設定装置１への送信、設定プログラムの送信、設定されたパラメータを使用した接続を行えばよい。
【００３６】
次に、無線子機３について説明する。
【００３７】
無線子機３は、初期設定部３０と、実行部３１と、子機制御部３２と、アンテナ部３３を含む。
【００３８】
無線子機３は、例えば、無線通信機能を備えた、ゲーム機、携帯電話、あるいはコンピュータである。あるいは、無線子機３は、例えば、ゲーム機、携帯電話、あるいはコンピュータの、無線通信部であってもよい。図３の例では、初期設定部３０と、実行部３１と、子機制御部３２と、アンテナ部３３以外の各部は省略されている。
【００３９】
無線子機３は、アンテナ部３３を介して、アンテナ部２３を備える無線通信装置２との間で通信を行う。
【００４０】
アンテナ３３は、無線通信装置２が送信した電波を受信して信号に変換し、子機制御部３２に送信する。また、アンテナ部３３は、子機制御部３２から受信した信号を電波に変換して、無線通信装置２に送信する。
【００４１】
子機制御部３２は、初期設定部３０及び実行部３１と、無線通信装置２との間で、アンテナ部３３を介して行われる無線通信を中継する。子機制御部３２は、さらに、無線子機３の、例えばゲーム機や携帯電話としての、無線通信以外の機能を持つ他の部分と、無線通信装置２との間で、アンテナ部３３を介して行われる無線通信を中継する。
【００４２】
無線子機３と無線通信装置２の間で、ＳＳＩＤを含む通信のためのパラメータを使用した接続が行われていない（無線子機３と無線通信装置２が未接続である）場合、初期設定部３０は、無線通信装置２から、初期識別子を受信する。初期設定部３０は、受信した初期識別子を使用して無線通信装置２に接続する。初期設定部３０は、無線子機３と無線通信装置２が未接続である場合、ＳＳＩＤを含むビーコン信号を受信すると、そのＳＳＩＤを初期識別子として使用して、そのＳＳＩＤを含むビーコン信号の送信元の無線通信装置２に接続すればよい。また、初期設定部３０は、無線通信装置２を介して、無線設定装置１から、設定プログラムを受信する。初期設定部３０は、受信した設定プログラムを、実行部３１に送信する。
【００４３】
実行部３１は、受信した設定プログラムを実行する。実行部３１は、受信した設定プログラムを実行することにより、無線設定装置１の設定部１３との間で、無線通信のためのパラメータの設定を行う。設定プログラムは、実行部３１が、無線設定装置１の設定部１３との間で、無線通信のためのパラメータの設定を、所定の手順で行うよう、実行部３１を制御する。実行部３１は、例えばプロセッサを備えたコンピュータである。
【００４４】
無線通信のためのパラメータは、例えば、ＳＳＩＤ、ＳＳＩＤの隠蔽の有無、暗号化方式、暗号化キーのいずれか１個以上である。パラメータは、これらに限られない。また、パラメータは、これら以外の値であってもよい。
【００４５】
実行部３１は、設定したパラメータを子機制御部３２に送信する。無線通信のためパラメータを受信した子機制御部３２は、そのパラメータを使用して、無線通信装置２に接続する。その接続の際、子機制御部３２は、初期識別子を使用した無線通信装置２への接続を、切断すればよい。
【００４６】
次に無線設定装置１について説明する。
【００４７】
無線設定装置１の接続検出部１０は、無線子機３による初期識別子を使用した無線通信装置２への接続を検出する。接続検出部１０は、無線子機３が初期識別子を使用して無線通信装置２に接続した際、初期識別子を使用した無線子機３による無線通信装置２への接続があったことを表す情報を、無線通信装置２から受信すればよい。また、接続検出部１０は、前述のように、無線通信装置２が送信する初期識別子を、無線通信装置２に送信してもよい。無線通信装置２があらかじめ初期識別子を保持していれば、接続検出部１０は初期識別子の送信を行わなくてよい。
【００４８】
設定プログラム記憶部１１は、無線子機３の実行部３１が実行するための設定プログラムを記憶する。設定プログラムは、実行部３１を、前述の、無線通信のための１個以上のパラメータを、設定部１３との間で、所定の手順で設定するよう動作させる。
【００４９】
設定プログラム送信部１２は、接続検出部１０が初期接続を検出した場合、設定プログラム記憶部１１から、設定プログラムを読み出す。設定プログラム送信部１２は、読み出した設定プログラムを、無線通信装置２を介して、無線子機３の初期設定部３０に送信する。
【００５０】
設定部１３は、送信された設定プログラムを実行する実行部３１との間で、前述の、無線通信のためのパラメータの設定を、所定の手順で行う。そして、設定部１３は、設定されたパラメータを、無線通信装置２に送信する。
【００５１】
設定部１３と設定プログラムは、設定部１３と設定プログラムを実行する実行部３１が、所定の手順で、データをやりとりして各パラメータの設定を行うよう、構成されていればよい。
【００５２】
図２は、本実施形態の無線通信システム１００の具体的な構成例である。
【００５３】
次に、本実施形態の動作について、図面を参照して詳細に説明する。
【００５４】
図３は、本実施形態の無線設定装置１の動作を表すフローチャートである。
【００５５】
図４は、初期接続における無線通信のための、初期識別子を含む複数のパラメータの例を表す図である。図４のＳＳＩＤが初期識別子である。図４の「隠蔽」は、ＳＳＩＤを隠蔽するかどうかを表すパラメータである。図４には、他のパラメータの例として、暗号化方式や暗号化キーが記載されている。図４のように、無線通信装置２は、初期接続において、隠蔽や暗号化を行わずに接続すればよい。
【００５６】
無線通信装置２は、初期識別子を各無線子機３に対して送信する（ステップＳ１１）。
【００５７】
接続検出部１０は、無線通信装置２が無線子機３に送信する初期識別子を、無線通信装置２に送信してもよい。無線通信装置２は、あらかじめ保持している初期識別子を、無線子機３に送信してもよい。
【００５８】
無線通信装置２と未接続の無線子機３は、受信した初期識別子を使用して、無線通信装置２に接続する。
【００５９】
接続検出部１０は、いずれかの無線子機３から無線通信装置２への、初期識別子を使用した接続（初期接続）を検出する（ステップＳ１２）。
【００６０】
前述のように、無線通信装置２は、いずれかの無線子機３から初期接続があった際、いずれかの無線子機３から初期接続があったことを表す情報を、接続検出部１０に送信すればよい。
【００６１】
複数の無線子機３から初期接続があった場合、無線通信装置２は、初期接続があったことを表す情報を、順次接続検出部１０に送信すればよい。この場合、無線設定装置１は、初期接続があった複数の無線子機３に対して、順次、後述のステップＳ１２からステップＳ１６の動作を行えばよい。無線通信装置２は、初期接続があった無線子機３を表す情報を保持していればよい。
【００６２】
無線設定装置１は、初期接続が検出されない場合、初期接続が検出されるまで待機する（ステップＳ１２、Ｎ）。
【００６３】
いずれかの無線子機３から無線通信装置２への、初期接続が検出された場合（ステップＳ１２、Ｙ）、設定プログラム送信部１２は、設定プログラム記憶部１１から設定プログラムを読み出す（ステップＳ１３）。
【００６４】
設定プログラム送信部１２は、設定プログラムを、初期接続中の無線子機３に対して、無線通信装置２を経由して送信する（ステップＳ１４）。
【００６５】
設定プログラムを受信した無線子機３の初期設定部３０は、受信した設定プログラムを実行部３１に送信する。実行部３１は、受信した設定プログラムを実行する。前述のように、設定プログラムは、実行部３１が、設定部１３との間で、無線通信のためのパラメータの設定を、所定の手順で行うよう、実行部３１を制御する。
【００６６】
設定部１３は、送信された設定プログラムを実行する無線子機３との間で、所定の手順で無線通信のためのパラメータの設定を行う（ステップＳ１５）。
【００６７】
図５は、設定部１３が設定するパラメータの例を表す図である。設定部１３は、ＳＳＩＤ暗号化キーを生成して、無線子機３に送信すればよい。また、設定部１３は、暗号化方式を決定し、決定した暗号化方式を表す情報を無線子機３に送信すればよい。設定部１３は、暗号化方式決定の際、例えば、無線子機３が対応可能な暗号化方式を無線子機３から取得し、その中で無線通信装置２が対応可能な、最も安全な暗号化方式を選択すればよい。その場合、設定部１３は、無線通信装置２が対応可能な暗号化方式の情報を、あらかじめ保持していればよい。あるいは、設定部１３は、無線通信装置２が対応可能な暗号化方式の情報を、無線通信装置２から取得してもよい。初期接続子と、設定部１３が設定するパラメータの含まれるＳＳＩＤは、異なっていることが望ましいが、同じでも構わない。
【００６８】
図６は、無線通信装置２が対応可能な暗号化方式の例を表す図である。これらの暗号化方式の中で、無線子機３が対応可能な最も安全な暗号化方式が、例えばＷＥＰ−１２８である場合、設定部１３が設定するパラメータは、図５のようになる。
【００６９】
各パラメータの設定の手順は、あらかじめ決められていればよい。また、初期接続中の無線子機３が複数存在する場合、設定部１３は、各無線子機３との間で、順次パラメータの設定を行えばよい。前述のように、設定部１３は、無線通信装置２を介して、無線子機３との間でパラメータ設定のためのデータの送信及び受信を行うことで、パラメータの設定を行えばよい。
【００７０】
設定部１３は、無線子機３との間で設定した、無線通信のためのパラメータを、無線通信装置２に送信する（ステップＳ１６）。
【００７１】
パラメータを受信した無線通信装置２は、受信したパラメータを使用して無線子機３と接続する。その際、無線通信装置２は、受信したパラメータを使用して無線子機３から接続された場合に、その無線子機３からの接続を許可すればよい。無線通信装置２は、パラメータの設定を行った無線子機３に、設定されたパラメータを使用して接続する指示を送信してもよい。この場合、設定部１３は、パラメータに加えて、無線子機３の識別情報を、無線通信装置２に送信すればよい。接続の指示を受信した無線子機３は、設定されたパラメータを使用して無線通信装置２に接続する。無線通信装置２は、設定されたパラメータを使用した接続の際、無線子機３との間の初期接続を切断すればよい。
【００７２】
次に、本実施形態の無線子機３の動作について、図面を参照して詳細に説明する。
【００７３】
図７は、本実施形態の無線子機３の動作を表すフローチャートである。
【００７４】
図７を参照すると、まず、初期設定部３０は、アンテナ部３３と子機制御部３２を介して、初期識別子を受信する（ステップＳ２１）。初期識別子は、例えば、無線通信装置２が送信するビーコン信号に含まれていればよい。なお、以下の説明において、初期設定部３０及び実行部３１は、無線通信装置２や無線通信装置２を介した無線設定装置１との間の通信を、アンテナ部３３と子機制御部３２を介して行う。
【００７５】
無線子機３が無線通信装置２と接続されていれば、無線子機３は何もしない。
【００７６】
無線子機３が無線通信装置２と接続されていない場合、初期設定部３０は、受信した初期識別子を使用して、無線通信装置２に接続する（ステップＳ２２）。
【００７７】
そして、初期設定部３０は、無線通信装置２から、設定プログラムを受信する（ステップＳ２３）。初期設定部３０は、受信した設定プログラムを、実行部３１に送信する。
【００７８】
実行部３１は、受信した設定プログラムを実行する（ステップＳ２４）。
【００７９】
設定プログラムを実行する実行部３１は、無線設定装置１との間で、前述のパラメータを設定する（ステップＳ２５）。設定プログラムは、実行部３１が、無線通信装置２を介した通信により、無線設定装置１との間で、無線通信のための前述のパラメータの設定を、所定の手順で行うよう、実行部３１を制御する。
【００８０】
そして、子機制御部３２は、設定したパラメータを使用して、無線通信装置２に接続する（ステップＳ２６）。
【００８１】
設定プログラムは、設定プログラムを実行する実行部３１が、設定したパラメータと、そのパラメータを使用して無線通信装置２に接続する指示を、子機制御部３２に送信するように、構成されていればよい。設定プログラムは、さらに、設定プログラムを実行する実行部３１が、設定したパラメータを使用した接続の際、初期接続を切断する指示を子機制御部３２に送信するように構成されていてもよい。
【００８２】
以上で説明した本実施形態には、時間的制約のある手動操作及び無線以外の入力手段を必要とせずに、無線通信機器に対して無線通信の設定を行うことができるという第１の効果がある。
【００８３】
その理由は、初期接続状態で、設定プログラム送信部１２が、無線通信のためのパラメータの設定を行う設定プログラムを、無線子機３に送信する指示を、無線通信装置２に送信するからである。
【００８４】
前述の簡単設定方式には、複数の種類がある。そして、無線通信装置２と無線子機３が、同じ簡単設定方式に対応していないと、ユーザによる無線接続のパラメータの設定を行うことなく、無線通信の設定を行うことはできない。
【００８５】
しかし、本実施形態には、無線通信装置２と無線子機３が、同じ簡単設定方式に対応していなくても、ユーザによる無線接続のパラメータの設定を行うことなく、無線通信の設定を行うことができるという第２の効果がある。
【００８６】
その理由は、第１の効果の理由と同じである。設定プログラムは、その設定プログラムを実行する無線子機３が、設定部１３との間で、パラメータの設定を行うことができるよう構成されている。
【００８７】
次に、本発明の第２の実施形態について、図面を参照して詳細に説明する。
【００８８】
図８は、本実施形態の無線設定装置１Ａの構成を表す図である。
【００８９】
図８を参照すると、本実施形態の無線設定装置１Ａは、設定プログラムを受信して実行する無線子機３が、無線通信のパラメータを所定の手順で設定するための、設定プログラムを記憶する設定プログラム記憶部１１と、無線通信装置２に対する、複数の前記無線子機３のいずれかからの初期接続を検出する接続検出部１０と、初期接続が検出された無線子機３に、設定プログラムを、無線通信装置２を経由して送信する設定プログラム送信部１２とを含む。
【００９０】
次に、本実施形態の動作について、図面を参照して詳細に説明する。
【００９１】
図９は、本実施形態の無線設定装置１Ａの動作を表すフローチャートである。
【００９２】
図９の各ステップは、図３の第１の実施形態の動作を表すフローチャートにおける、同一の符号を付したステップと同じである。よって、これらのステップの説明を省略する。
【００９３】
以上で説明した本実施形態には、第１の実施形態と同じ効果がある。
【００９４】
無線設定装置１、無線設定装置１Ａ、無線通信装置２、無線子機３は、それぞれ、コンピュータ及びコンピュータを制御するプログラム、専用のハードウェア、又は、コンピュータ及びコンピュータを制御するプログラムと専用のハードウェアの組合せにより実現することができる。
【００９５】
接続検出部１０、設定プログラム送信部１２、設定部１３、制御部２１と、初期設定部３０、実行部３１は、例えば、プログラムを記憶する記録媒体からメモリに読み込まれた、各部の機能を実現するための専用のプログラムと、そのプログラムを実行するプロセッサにより実現することができる。また、設定プログラム記憶部１１は、コンピュータが含むメモリやハードディスク装置により実現することができる。あるいは、接続検出部１０、設定プログラム記憶部１１、設定プログラム送信部１２、設定部１３、インタフェース部２０、制御部２１、無線制御部２２、アンテナ部２３、初期設定部３０、実行部３１、子機制御部３２、アンテナ部３３の一部又は全部を、各部の機能を実現する専用の回路によって実現することもできる。
【００９６】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００９７】
１、１Ａ    無線設定装置
２    無線通信装置
３    無線子機
４    ネットワーク
１０    接続検出部
１１    設定プログラム記憶部
１２    設定プログラム送信部
１３    設定部
２０    インタフェース部
２１    制御部
２２    無線制御部
２３、３３    アンテナ部
３０    初期設定部
３１    実行部
３２    子機制御部
１００    無線通信システム
【図１】
2013247400.tif 000003
【図２】
2013247400.tif 000004
【図３】
2013247400.tif 000005
【図４】
2013247400.tif 000006
【図５】
2013247400.tif 000007
【図６】
2013247400.tif 000008
【図７】
2013247400.tif 000009
【図８】
2013247400.tif 000010
【図９】
2013247400.tif 000011